(57)【要約】【課題】本発明はマグネットと対面するブレーキディスクを弾性変形する材料で形成し、ブレーキディスクとマグネットとの間の間隔を回転数の増加に連動して狭くすることを目的とする。【解決手段】本発明による遠心可変式渦電流型速度リミット装置は、マグネット(3)に対面するブレーキディスク(6)を弾性変形可能とし、回転速度が増加した時に、弾性変形することにより、ブレーキディスク(6)とマグネット(3)間の間隔(D)が小さくなり、ブレーキ力が増大する構成である。【選択図】図２
2010093896.tif 000002
【特許請求の範囲】
【請求項１】
固定軸(2)及びマグネット(3)を有する固定体(1)と、前記固定体(1)に設けられ前記固定軸(2)の外周側に位置する一対の軸受(4,4a)と、前記各軸受(4,4a)を介して回転自在に設けられた筒状回転体(5)と、前記筒状回転体(5)の内端(5a)に設けられブレーキディスク(6)を有するブレーキ体(7)と、を備え、
前記ブレーキディスク(6)は、前記マグネット(3)に対して間隔(D)を介して対面し、かつ、遠心力によって弾性変形する弾性磁性体で形成されていることを特徴とする遠心可変式渦電流型速度リミット装置。
【請求項２】
前記ブレーキディスク(6)は、弾性磁性金属よりなることを特徴とする請求項１記載の遠心可変式渦電流型速度リミット装置。
【請求項３】
前記ブレーキディスク(6)は、弾性磁性樹脂よりなることを特徴とする請求項１記載の遠心可変式渦電流型速度リミット装置。
【発明の詳細な説明】
【技術分野】
【０００１】
本発明は、遠心可変式渦電流型速度リミット装置に関し、特に、マグネットと対面するブレーキディスクを弾性変形する材料で形成し、ブレーキディスクとマグネットとの間の間隔を回転数の増加に連動して狭くするための新規な改良に関する。
【背景技術】
【０００２】
従来、用いられていたこの種の遠心可変式渦電流型速度リミット装置としては、社内製作のみで特許出願を行っていないため、特許文献等を開示していないが、マグネットと対面するブレーキディスクは、硬質金属で形成され、回転数が増加した場合でも、マグネットとブレーキディスクとの間隔は一定であった。
【０００３】
また、特許文献１で示されるブレーキ付きモータにおいては、電磁石によってブレーキディスクを磁気吸着する構成であるため、ロータの回転数の増減に拘わらず、ブレーキディスクと電磁石との間の間隔は一定であった。
【０００４】
【特許文献１】特開２０００−５０５６９号公報
【発明の開示】
【発明が解決しようとする課題】
【０００５】
従来の遠心可変式渦電流型速度リミット装置は、以上のように構成されていたため、次のような課題が存在していた。
すなわち、ブレーキディスクが硬質金属で構成されていたため、ブレーキディスクとマグネットとの間の間隔は、ブレーキディスクの回転数に拘わらず一定であり、例えば、回転速度のリミット値を可変とするような要求に応えることは困難であった。
【課題を解決するための手段】
【０００６】
本発明による遠心可変式渦電流型速度リミット装置は、固定軸及びマグネットを有する固定体と、前記固定体に設けられ前記固定軸の外周側に位置する一対の軸受と、前記各軸受を介して回転自在に設けられた筒状回転体と、前記筒状回転体の内端に設けられブレーキディスクを有するブレーキ体と、を備え、前記ブレーキディスクは、前記マグネットに対して間隔を介して対面し、かつ、遠心力によって弾性変形する弾性磁性体で形成されている構成であり、また、前記ブレーキディスクは、弾性磁性金属よりなる構成であり、また、前記ブレーキディスクは、弾性磁性樹脂よりなる構成である。
【発明の効果】
【０００７】
本発明による遠心可変式渦電流型速度リミット装置は、以上のように構成されているため、次のような効果を得ることができる。
すなわち、固定軸及びマグネットを有する固定体と、前記固定体に設けられ前記固定軸の外周側に位置する一対の軸受と、前記各軸受を介して回転自在に設けられた筒状回転体と、前記筒状回転体の内端に設けられブレーキディスクを有するブレーキ体と、を備え、前記ブレーキディスクは、前記マグネットに対して間隔を介して対面し、かつ、遠心力によって弾性変形する弾性磁性体で形成されていることにより、筒状回転体とブレーキディスクの回転が増大すると、ブレーキディスクが遠心力によってマグネット側へ曲って変形し、ブレーキディスクとマグネット間の間隔が狭くなり、渦電流によるブレーキ力が増大する。従って、渦電流によって生じるブレーキ力は、回転速度、マグネットとブレーキディスク間の間隔によって変化するため、ブレーキディスクの可変により、回転速度のリミット値の設定ができる。
また、前記ブレーキディスクは、弾性磁性金属よりなるか、又は、前記ブレーキディスクは、弾性磁性樹脂よりなることにより、回転速度増加時のブレーキディスクとマグネットとの間の間隔を自在に変えることができる。
【発明を実施するための最良の形態】
【０００８】
本発明は、マグネットと対面するブレーキディスクを弾性変形する材料で形成し、ブレーキディスクとマグネットとの間の間隔を回転数の増加に連動して狭くするようにした遠心可変式渦電流型速度リミット装置を提供することを目的とする。
【実施例】
【０００９】
以下、図面と共に本発明による遠心可変式渦電流型速度リミット装置の好適な実施の形態について説明する。
図１において符号１で示されるものは長手形状の固定軸２を有する固定体であり、この固定体１の環状部１ａ内には、複数のマグネット３が環状に配設されている。
【００１０】
前記固定体１の前記固定軸２に沿って延設された筒状延設部１ｂの外周には、一対の軸受４、４ａが設けられ、各軸受４、４ａには、全体形状が筒状をなす筒状回転体５が前記固定軸２の外周側でこの固定軸２と同軸状に回転自在に配設されている。
【００１１】
前記筒状回転体５の内端５ａには、ブレーキディスク６を有するブレーキ体７が設けられており、前記ブレーキディスク６は前記マグネット３に対面しており、このブレーキディスク６とマグネット３との間には、間隔Ｄが形成されている。
【００１２】
前記ブレーキディスク６は、回転時の遠心力によって、図２の点線で示されるように、弾性変形するような弾性磁性体又は弾性金属等で形成されており、例えば、銅鋼、燐青銅、導電性樹脂等を適用することができる。
【００１３】
従って、渦電流によって生じるブレーキ力は、ブレーキディスク６の回転速度及び前記マグネット３とブレーキディスク６間の間隔Ｄによって変化するため、前述のように、ブレーキディスク６が所定の回転速度に達すると、図２のように実線から点線のようにブレーキディスク６がマグネット３側へ曲がるため、前記間隔Ｄが大幅に小さくなり、渦電流によるブレーキ力が大幅に増大し、前記所定の回転速度で筒状回転体５の回転にブレーキをかけることができる。
従って、前記ブレーキディスク６の材質を選定して、所望の回転数に対してブレーキディスク６が弾性変形する状態を設定することにより、筒状回転体５の回転速度のリミット値の最適設定を行うことができる。
【図面の簡単な説明】
【００１４】
【図１】本発明による遠心可変式渦電流型速度リミット装置を示す断面図である。
【図２】図１の要部の拡大断面図である。
【符号の説明】
【００１５】
１    固定体
１ａ    環状部
１ｂ    筒状延設部
２    固定軸
３    マグネット
Ｄ    間隔
４、４ａ    軸受
５    筒状回転体
５ａ    内端
６    ブレーキディスク
７    ブレーキ体
【図１】
2010093896.tif 000003
【図２】
2010093896.tif 000004